(57)【要約】    【課題】  晴天時には洗濯物を自然乾燥させ、雨天時には洗濯物が雨水に濡れるのを防止し、夜間の取り込み忘れ時に洗濯物が夜露によって湿っぽくなるのを防止する。    【解決手段】  左右の壁面(20)の間に洗濯物が干される物干し(30)を設け、又左右の壁面の外縁に沿って移動し得るようにカバー(40)を設け、雨水センサー(61)で降雨を検出し、夜間センサー(62)で光の照度から夜間であることを検出し、制御装置(60)によって晴天時又は昼間には開閉機構を制御してカバーを開放方向に往動させ、物干しの洗濯物を外気にさらす一方、降雨時又は夜間には開閉機構をしてカバーを閉鎖方向に復動させ、カバーで洗濯物を覆う。【選択図】  図２
2006087645.tif 000002
【特許請求の範囲】
【請求項１】
洗濯物が雨水や夜露に濡れるのを回避できるようにした洗濯物の物干し装置であって、  床面に設置されるベースと、
該ベースの両側に立設された左右の壁面と、
該左右の壁面の間に設けられ、洗濯物が干される物干しと、
上記左右の壁面の外縁に沿って移動し得るように設けられ、開放時に物干しの洗濯物を外気にさらし閉鎖時に洗濯物を覆うシート状のカバーと、
降雨を検出する雨水センサーと、
光の照度から夜間であることを検出する夜間センサーと、
上記カバーを開放方向に往動させ閉鎖方向に復動させる開閉機構と、
上記雨水センサー及び夜間センサーの信号を受け、晴天時又は昼間には上記開閉機構をして上記カバーを開放方向に往動せしめる一方、降雨時又は夜間には上記開閉機構をして上記カバーを閉鎖方向に復動せしめる制御装置と、
を備えたことを特徴とする洗濯物の物干し装置。
【請求項２】
閉鎖された上記カバー内の空間の空気を加熱するヒータと、閉鎖された上記カバー内の空間の温度を検出する温度センサーとを更に備え、上記制御装置は上記温度センサーの信号を受け、閉鎖された上記カバー内の空間が所定範囲内の温度になるように上記ヒータの通電を制御するようになっている請求項１記載の洗濯物の物干し装置。
【発明の詳細な説明】
【技術分野】
【０００１】
本発明は洗濯物の物干し装置に関し、特に晴天時には洗濯物を自然乾燥させ、雨天時には洗濯物が雨水に濡れるのを防止し、さらには夜間の取り込み忘れ時に洗濯物が夜露によって湿っぽくなるのを防止できるようにした装置に関する。
【背景技術】
【０００２】
例えば、衣類等を洗濯した場合、庭先やベランダ等において物干し竿や物干しハンガーに洗濯物を掛け、太陽光によって殺菌又は滅菌しながら自然風にあてることによって洗濯物を乾燥することが行われているが、突然の降雨時にはせっかく乾燥した洗濯物が濡れてしまう。
【０００３】
そこで、洗濯ハンガーにビニールシートを巻き上げてフックに係止しておき、降雨時には雨センサーでこれを検知し、モータによってフックの係止を解除し、ビニールシートを下方に落下させて展開し、雨水が洗濯物にかかるのを防止するようにした装置が提案されている（特許文献１）。
【特許文献１】特開２０００−３１７１９５号公報
【発明の開示】
【発明が解決しようとする課題】
【０００４】
ところで、洗濯物を干したまま取り込むのを忘れたり、あるいは外出していて夜遅くまで洗濯物を屋外に出したままにしていると、せっかく乾燥した洗濯物が夜露にあたって湿っぽくなることがある。
【０００５】
しかし、上記特許文献１記載の装置では夜露の影響については全く対応しておらず、夜露にあたって洗濯物が湿っぽくなるという問題があった。
【０００６】
本発明はかかる問題点に鑑み、降雨時だけでなく、夜間の取り込み忘れにも対応できるようにした洗濯物の物干し装置を提供することを課題とする。
【課題を解決するための手段】
【０００７】
そこで、本発明に係る洗濯物の物干し装置は、洗濯物が雨水や夜露に濡れるのを回避できるようにした洗濯物の物干し装置であって、床面に設置されるベースと、該ベースの両側に立設された左右の壁面と、該左右の壁面の間に設けられ、洗濯物が干される物干しと、上記左右の壁面の外縁に沿って移動し得るように設けられ、開放時に物干しの洗濯物を外気にさらし閉鎖時に洗濯物を覆うシート状のカバーと、降雨を検出する雨水センサーと、光の照度から夜間であることを検出する夜間センサーと、上記カバーを開放方向に往動させ閉鎖方向に復動させる開閉機構と、上記雨水センサー及び夜間センサーの信号を受け、晴天時又は昼間には上記開閉機構をして上記カバーを開放方向に往動せしめる一方、降雨時又は夜間には上記開閉機構をして上記カバーを閉鎖方向に復動せしめる制御装置と、を備えたことを特徴とする。
【０００８】
本発明の特徴の１つは雨水センサー及び夜間センサーを設け、降雨時だけでなく夜間にもカバーを閉鎖するようにした点にある。
【０００９】
これにより、不意の降雨によって洗濯物に濡れるのを回避でき、又洗濯物を干したまま取り込むのを忘れたり、あるいは外出していて夜遅くまで洗濯物を屋外に出したままにしていても、乾燥した洗濯物が夜露によって湿っぽくなることもない。
【００１０】
ベースは床面に設置できればどのようなものでもよいが、装置の安定性を考慮すると、重い方が好ましい。例えば、内部に水を注入できるようにしたプラスチック製タンクとしてもよく、又コンクリート製のベースとしてもよい。
【００１１】
物干しは左右の壁面の間に設けられていればよく、例えば物干し竿を左右の壁面に掛け渡してもよく、又複数の支柱を間隔をあけて立設し、支柱の間に物干し竿を掛け渡してもよい。
【００１２】
カバーは洗濯物が雨水や夜露によって濡れるのを防ぐことができればよく、合成樹脂製シート、例えばビニールシート等を用いることができる。また、カバーは左右の壁面の外縁に沿って移動できるように設けばよく、例えば壁面の外縁に沿ってガイド溝を設け、ガイド溝内に複数のガイドローラを長手方向に沿って配置してチェーンやロープを移動可能に支持し、チェーンやロープにカバーを取付けるようにしてもよい。
【００１３】
開閉機構はカバーを開閉できればどのような方式でもよく、例えばチェーンやロープを巻取り巻出すドラムとこれを回転駆動するギアードモータとで構成することができる。
【００１４】
雨水センサーは降雨を検出できればどのような方式でもよく、例えば通常時はＯＦＦで、雨水を受けて濡れた時に導通してＯＮとなるような方式のセンサーを採用することができる。
【００１５】
夜間センサーは光センサーで構成することができ、具体的には光の照度から暗くなったことを判別して夜間であることを検出するように構成すればよい。
【００１６】
制御装置は雨水センサー及び夜間センサーの信号を受け、開閉機構を制御してカバーを開放方向又は閉鎖方向に往動又は復動させることができればよく、例えばシーケンサやマイクロコンピュータによって構成することができる。
【００１７】
また、本発明に係る洗濯物の物干し装置では降雨時や夜間に洗濯物を更に乾燥できるようにヒータを設けるようにすることもできる。即ち、閉鎖されたカバー内の空間の空気を加熱するヒータと、閉鎖されたカバー内の空間の温度を検出する温度センサーとを更に備え、制御装置は温度センサーの信号を受け、閉鎖されたカバー内の空間が所定の範囲内の温度になるようにヒータの通電を制御（例えば、フィードバック制御）するように構成することができる。
【発明を実施するための最良の形態】
【００１８】
以下、本発明を図面に示す具体例に基づいて詳細に説明する。図１ないし図４は本発明に係る洗濯物の物干し装置の好ましい実施形態を示す。図において、ベース１０は複数のプラスチック製タンク１１を組み合わせて構成され、各タンク１１は注入口１２から内部に水を注入して風等によって移動しないような重さにできる一方、必要に応じて排水口１からタンク１１内の水を排水できるようになっている。
【００１９】
このベース１０には左右の壁面２０が相互に所定の間隔をあけて立設され、左右の壁面２０の間には物干し竿（物干し）３０が掛け渡され、又左右の壁面２０の内面側にはヒータ７０が設けられている。
【００２０】
また、左右の壁面２０には内面側にガイド溝２１が壁面２０の外縁に沿って形成され、該ガイド溝２１内には複数のガイドローラ５５が溝長手方向に間隔をあけて配置され、該ガイドローラ５５にはロープ５１が支持され、該ロープ５１には例えば透明ビニールシート（半透明又は不透明でもよい）製のカバー４０が取付けられ、該カバー４０はロープ５１の移動によって開放されて物干し竿３０の洗濯物を外気にさらし閉鎖されて洗濯物を覆うようになっている。
【００２１】
このロープ５１の両端は壁面２０に支持された一対の巻取りドラム５６に巻き取られ、一対の巻取りドラム５６にはこれを連動して回転させるチェーン５７が掛け渡され、チェーン５７にはスプロケット５８が噛合され、左右のスプロケット５８及びチェーン５７はケース５２に内蔵され、左右のケース５２内のスプロケット５８は伝達ロッド５３によって相互に連結され、又一方のスプロケット５８は減速ギア付きの駆動モータ５４によって回転駆動されるようになっている。
【００２２】
さらに、壁面２０のガイド溝２１にはカバー４０の開放及び閉鎖を検出するリミットスイッチ５９Ａ、５９Ｂが設けられている。
【００２３】
また、一方の壁面２０には雨水センサー６１、夜間センサー６２及び温度センサー６３が設けられ、雨水センサー６１は雨水を受けて回路が導通することにより降雨を検出するようになっている。夜間センサー６２は光の照度から夜間であることを検出するようになっている。さらに、温度センサー６３は閉鎖されたカバー４０内の空間の温度を検出するようになっている。
【００２４】
さらに、一方の壁面２０には制御盤（制御装置）６０が取付けられ、該制御盤６０は雨水センサー６１、夜間センサー６２、温度センサー６３及びリミットスイッチ５９Ａ、５９Ｂの信号を受け、晴天時又は昼間には開閉機構を制御してカバー４０を開放方向に往動させる一方、降雨時又は夜間には開閉機構を制御してカバー４０を閉鎖方向に復動させるようになっている。
【００２５】
また、カバー４０には両端に突起（図示せず）が設けられ、カバー４０が全開放されたときにリミットスイッチ５９Ａが突起によってＯＮされ、カバー４０が全閉鎖されたときにリミットスイッチ５９Ｂが突起によってＯＮされ、制御盤６０はこれらのＯＮ信号を受けて駆動モータ５４の回転を停止させるようになっている。
【００２６】
さらに、制御盤６０は手動操作で壁面２０のヒータ７０に通電し、温度センサー６３の信号を受けてヒータ７０が設定範囲の温度になるようにフィードバック制御するようになっている。なお、ヒータ７０はカバー４０が閉鎖されたときに自動的に通電されて発熱するように構成することできる。
【００２７】
晴天時や昼間には制御盤６０が駆動モータ５４を正回転させ、チェーン５７が駆動された巻取りドラム５６が回転され、ロープ４０が往動されてカバー４０はリミットスイッチ５９Ａでカバー４０の全開放が検出されるまで開放方向に往動される。
【００２８】
洗濯物を干す場合、洗濯物を例えばハンガー等に掛け、ハンガーを物干し竿３０に引っ掛ければよく、これによって洗濯物は外気を受けて乾燥するとともに、太陽光を受けて殺菌又は滅菌される。
【００２９】
洗濯物を乾かしている際中に雨が降り、雨水センサー６１で降雨が検出されると、制御盤６０は駆動モータ５４に通電して駆動モータ６０を逆回転させる。すると、チェーン５７が駆動されて巻取りドラム５６が逆回転され、ロープ５１が復動されてカバー４０はリミットスイッチ５９Ｂでカバー４０の全閉鎖が検出されるまで閉鎖方向に復動され、これによって洗濯物がカバー４０によって覆われ、雨水によって濡れるのを回避できる。
【００３０】
雨が止み、晴天になり、雨水センサー６１の回路の導通が遮断されると、カバー４０は元の開放状態に戻される。
【００３１】
また、洗濯物を干したまま取り込むのを忘れて夜間になったり、外出していて夜遅くまで洗濯物を屋外に出したままにしていた場合、制御盤６０が作動したまま、夜間センサー６２で夜間になったことが検出されると、制御盤６０は駆動モータ５４に通電して駆動モータ６０を逆回転させる。すると、チェーン５７が駆動されて巻取りドラム５６が逆回転され、ロープ５１が復動されてカバー４０はリミットスイッチ５９Ｂでカバー４０の全閉鎖が検出されるまで閉鎖方向に復動され、これによって洗濯物が夜露によって濡れるのを回避できる。
【００３２】
カバー４０で洗濯物を覆っている時に、制御盤６０を操作し、ヒータ７０を発熱させて洗濯物の乾燥を促進させることもできる。
【図面の簡単な説明】
【００３３】
【図１】本発明に係る洗濯物の物干し装置の好ましい実施形態における晴天時や昼間の状態を示す斜視図である。
【図２】上記実施形態における降雨時や夜間の状態を示す斜視図である。
【図３】上記実施形態における開閉機構の例を示す構成図である。
【図４】上記実施形態における制御系の回路構成図の例を示す図である。
【符号の説明】
【００３４】
１０      ベース
２０      壁面
２１      ガイド溝
３０      物干し竿（物干し）
４０      カバー
５１      ロープ
５４      駆動モータ
５５      カイドローラ
５６      巻取りローラ
５７      チェーン
５８      スプロケット
６０      制御盤（制御装置）
６１      雨水センサー
６２      夜間センサー
６３      温度センサー
【図１】
2006087645.tif 000003
【図２】
2006087645.tif 000004
【図３】
2006087645.tif 000005
【図４】
2006087645.tif 000006